(57)【要約】【課題】出力変動を低減できるようにする。【解決手段】昇圧変圧器Ｔの２次高圧巻線Ｓの巻始め端子ＳＬ０と巻終わり端子ＳＬ２の間に、中間導出タップＳＬ１を設け、該中間導出タップＳＬ１に高圧整流ダイオードＤを接続する。該高圧整流ダイオードＤに巻終わり端子ＳＬ２と抵抗Ｒ１を通じ接続し、直流短絡回路Ａを形成する。昇圧変圧器Ｔの１次側に電源を繋いで２次高圧巻線Ｓに高電圧交流を誘起させたときに、巻始め端子ＳＬ０より巻終わり端子ＳＬ２へ向かう方向の正電圧半波の出力電圧の任意の正電圧値を、巻終わり端子ＳＬ２より抵抗Ｒ１、高圧整流ダイオードＤを経て直流に整流して流すことで、中間導出タップＳＬ１の電位まで降下させる。全正電圧から降下電圧を除く残りの正電圧を導電マットに供給する。逆方向の負電圧半波は誘起されたままの電圧を導電マットＭへ供給する。【選択図】        図１
2004242718.tif 000002
【特許請求の範囲】
【請求項１】
交流高電圧を導電マットに与えて、該導電マット上の生体に印加して治療を行うようにする治療器用高電位発生装置において、昇圧変圧器の２次高圧巻線の巻始め端子から巻終わり端子までの間に中間導出タップを設け、該中間導出タップに、上記２次高圧巻線の巻始め端子から巻終わり端子へ向う方向の交流の正電圧の任意の電圧値を直流に整流する高圧整流ダイオードを接続して、直流を中間導出タップより２次高圧巻線に流入させて上記高圧整流ダイオードに至るようにする直流短絡回路を形成し、且つ上記２次高圧巻線の巻始め端子を大地に接地させた構成を有することを特徴とする治療器用高電位発生装置。
【請求項２】
直流短絡回路を、高圧整流ダイオードに２次高圧巻線の巻終わり端子を抵抗を通じ接続して、該高圧整流ダイオードで整流された直流が中間導出タップより２次高圧巻線に流入させられると２次高圧巻線の巻終わり端子を経て上記抵抗より高圧整流ダイオードに至るようにする構成とする請求項１記載の治療器用高電位発生装置。
【請求項３】
２次高圧巻線の巻始め端子から巻終わり端子までの間に設ける中間導出タップの位置を変動可能として短絡巻数を変更できるようにした請求項１又は２記載の治療器用高電位発生装置。
【発明の詳細な説明】
【０００１】
【発明の属する技術分野】
本発明は交流高電圧半波の正電位を弱とし、負電位を強として生体に通電刺激を与えるために用いる治療器用高電位発生装置に関するものである。
【０００２】
【従来の技術】
治療器具の１つとして、生体と大地間のキャパシタンスを利用して交流の高電圧を印加することにより生体に微弱な電流を通電させてイオン効果を促進し、且つ交流電圧の正電圧による興奮作用と、負電圧による鎮静作用とを生体に与えることにより生体の新陳代謝を旺盛にし、たとえば、患部の治療や健康体の維持等、生体各部の機能を正常化することを目的とする高圧交流による高電位治療器がある。
【０００３】
ところで、一般に、自然界に存在する空気、水等における電子分布比率が正電子２５％、負電子７５％とされていることから、健康な生体内に存在する正負イオンの理想比率は正２５％に対し負７５％であると云われている。
【０００４】
このため上記高電位治療器において、生体内の正負イオンの理想比率に適合させるべく、生体に印加する高圧交流の正電圧と負電圧との波高値比率を１対３とさせるようにすることが考えられ、この点に鑑みて、従来、図４にその一例の概略を示す如き高電位治療器が提案されている。これは、交流昇圧変圧器（トランス）ｔの高圧２次コイル（巻線）Ｌの両端に、並列の抵抗ｒ１及びダイオードｄ１と、この並列回路と直列に接続した抵抗ｒ２を含んでなる正電圧ブリーダ回路を接続した構成とし、且つ上記抵抗ｒ１を５０〜６０ＭΩと高抵抗の所謂ハイメグ抵抗とし、且つ抵抗ｒ２を３０〜４０ＭΩのハイメグ抵抗として、両者の抵抗値の比を２対１とすることにより、上記ブリーダ回路による出力交流の正・負電位の波高値比率を１対３に設定することができるようにしてある（たとえば、特許文献１参照）。
【０００５】
なお、ｍは交流高電圧を生体に印加するための導電マット、Ｌ１は高圧昇流トランスの１次コイル（巻線）、ＡＣは商用電源、ｄ２は正電圧ブリーダ回路における抵抗ｒ２よりも末端側に設けた逆流防止ダイオード、ｒはＡＣラインによる見掛接地用の高抵抗、ｒ０はＡＣラインによる保護用の高抵抗をそれぞれ示す。
【０００６】
【特許文献１】
特許第２６０９５７４号公報
【０００７】
【発明が解決しようとする課題】
ところが、上記特許文献１に示された高電位治療器では、抵抗ｒ１は５０〜６０ＭΩ、抵抗ｒ２は３０〜４０ＭΩといずれも極めて大なる抵抗値を有しているために、負荷電流が微弱であったとしても電圧降下は無視することができないものと考えられ、この電圧降下のために出力変動が容易に生じて不安定であるという問題がある。更に、構成部品の点数が多くなるという問題もある。
【０００８】
そこで、本発明は、抵抗値の極めて大なる抵抗の必要性をなくすことができて、安定した出力を得ることができ、又、出力交流の正・負電位の波高値比率を自在に選定可能とすることができる治療器用高電位発生装置を提供しようとするものである。
【０００９】
【課題を解決するための手段】
本発明は、上記課題を解決するために、交流高電圧を導電マットに与えて、該導電マット上の生体に印加して治療を行うようにする治療器用高電位発生装置において、昇圧変圧器の２次高圧巻線の巻始め端子から巻終わり端子までの間に中間導出タップを設け、該中間導出タップに、上記２次高圧巻線の巻始め端子から巻終わり端子へ向う方向の交流の正電圧の任意の電圧値を直流に整流する高圧整流ダイオードを接続して、直流を中間導出タップより２次高圧巻線に流入させて上記高圧整流ダイオードに至るようにする直流短絡回路を形成し、且つ上記２次高圧巻線の巻始め端子を大地に接地させた構成とし、更に、直流短絡回路を、高圧整流ダイオードに２次高圧巻線の巻終わり端子を抵抗を通じ接続して、該高圧整流ダイオードで整流された直流が中間導出タップより２次高圧巻線に流入させられると２次高圧巻線の巻終わり端子を経て上記抵抗より高圧整流ダイオードに至るようにする構成とする。
【００１０】
２次高圧巻線の巻始め端子より巻終わり端子側へ向かう方向に正電圧が誘起されると、該高圧の任意の正電圧値は、上記巻終わり端子より抵抗を通して高圧整流ダイオードへ至り、該ダイオードにて直流に整流されて、中間導出タップより２次高圧巻線へ流入させられ、更に、上記巻終わり端子、抵抗を経て高圧整流ダイオードへ至る直流短絡回路により出力電圧が低減され、正電圧半波交流として負荷側へ供給される。
【００１１】
一方、２次高圧巻線の巻終わり端子側より巻始め端子に向かう方向に誘起される負電圧は、低減することなく、上記２次高圧巻線の全巻数により誘起される電圧が巻始め端子よりそのまま出力される。
【００１２】
したがって、正電圧の波高値が小となり、且つ負電圧の波高値が大となる高圧交流を出力させることが可能となる。
【００１３】
又、２次高圧巻線の巻始め端子から巻終わり端子までの間に設ける中間導出タップの位置を変動可能として短絡巻数を変更できる構成とすることにより、中間導出タップの位置を変動させることによって、２次高圧巻線から出力させる正電圧半波の波高値を自在に設定できるため、出力電圧一定の負電圧半波との波高値比率を自在に設定することが可能になる。
【００１４】
【発明の実施の形態】
以下、本発明の実施の形態を図面を参照して説明する。
【００１５】
図１は本発明の治療器用高電位発生装置の実施の一形態を示すもので、Ｔは、１次巻線Ｐに商用電源ＡＣ１００Ｖを印加すると、変圧器閉磁路鉄心を介して２次高圧巻線Ｓに高電圧を誘起できるようにしてある複巻変圧器としての昇圧変圧器であり、その２次高圧巻線Ｓは、巻始め端子ＳＬ０より巻終わり端子ＳＬ２までを全巻線とし、その巻線Ｓの中間部に、中間導出タップＳＬ１を、その位置を変動できるように設け、該中間導出タップＳＬ１の位置を変動させることにより上記中間導出タップＳＬ１と巻終わり端子ＳＬ２間の巻数を自在に設定できるようにする。
【００１６】
上記中間導出タップＳＬ１に、交流の正電圧を直流に整流する高圧整流ダイオードＤを、中間導出タップＳＬ１側へ向う方向が順方向となるように接続すると共に、該高圧整流ダイオードＤに、上記２次高圧巻線Ｓの巻終わり端子ＳＬ２を抵抗Ｒ１を通じ接続して、上記２次高圧巻線Ｓの巻始め端子ＳＬ０から巻終わり端子ＳＬ２に向う方向に正電圧が誘起されたときに、任意の正電圧値が２次高圧巻線Ｓの巻終わり端子ＳＬ２より抵抗Ｒ１を経て高圧整流ダイオードＤに至って、ここで直流に整流されて中間導出タップＳＬ１より２次高圧巻線Ｓに流入し、更に、巻終わり端子を経て抵抗Ｒ１より高圧整流ダイオードＤに至る直流短絡回路Ａを形成するようにして、上記抵抗Ｒ１を、直流短絡回路Ａに生ずる短絡電流が過大となるのを防止する保護抵抗として機能するものとする。
【００１７】
更に、上記抵抗Ｒ１を、抵抗Ｒ２を介して導電マットＭに接続し、上記直流短絡回路Ａによる直流短絡電流により電位降下した残りの交流正電圧が低電圧として抵抗Ｒ２を通して導電マットＭに送られるようにする。
【００１８】
又、上記２次高圧巻線Ｓの巻始め端子ＳＬ０側には、見掛接地用の抵抗Ｒの一端側を接続し、該抵抗Ｒの他端側は、１次巻線Ｐの巻始め端子Ｐ０側に接続して、該１次巻線Ｐの巻始め端子Ｐ０に接続してある電源端子Ｕを経てその延長線上で大地（アース）Ｅに接地させるようにしてある。
【００１９】
更に、上記２次高圧巻線Ｓの出力電圧を切替えることができるようにするために、上記１次巻線Ｐには、巻始め端子Ｐ０からの巻数を相違させた二つの入力タップＰＨとＰＬを設けると共に、上記巻始め端子Ｐ０側に接続してある電源端子Ｕと対をなす電源端子Ｖからの入力を、上記入力タップＰＨとＰＬで切り替えるためのスイッチＳＷを設け、上記電源端子ＵとＶに商用電源ＡＣ１００Ｖを接続した状態にて、上記スイッチＳＷを入力タップＰＨとＰＬで切替えることにより昇圧変圧器Ｔの１次巻線Ｐ側と２次高圧巻線Ｓ側の変圧比を変化させて、たとえば、スイッチＳＷを入力タップＰＨへ接続させると、２次高圧巻線Ｓ側にて１００％の出力電圧が得られようにし、一方上記スイッチＳＷを入力タップＰＬ側へ切替えると、２次高圧巻線Ｓ側の出力電圧を５０％とさせることができるようにしてある。
【００２０】
なお、符号Ｃは導電マットＭと大地（アース）Ｅとの間のキャパシタンスであり、上記抵抗Ｒ２は上記導電マットＭを介して大地Ｅとの間のキャパシタンスＣにより流れる高圧電流を調整する保護抵抗として機能することとなる。
【００２１】
上記構成としてある本発明の治療器用高電位発生装置を使用する場合は、２次高圧巻線Ｓの中間導出タップＳＬ１の位置を、巻始め端子ＳＬ０から巻終わり端子ＳＬ２までの間の所要位置に設定しておき、又、導電マットＭを大地Ｅに対するキャパシタンス電極とすることができるように、絶縁シート等で包んだ状態として家屋内の床やベッド上に敷設しておく。
【００２２】
この状態において、スイッチＳＷを昇圧変圧器Ｔの１次巻線Ｐの入力タップＰＨに接続すると、電源端子Ｕ−Ｖ間に商用電源ＡＣ１００Ｖが印加され、これに伴い上記昇圧変圧器Ｔの１次巻線Ｐにおける巻始め端子Ｐ０と入力タップＰＨ間が励磁されるため、変圧器閉磁路鉄心を介して２次高圧巻線Ｓに対し出力電圧１００％の高電圧の交流が誘起され、上記２次高圧巻線Ｓの巻始め端子ＳＬ０より巻終わり端子ＳＬ２に向かう方向に正電圧が誘起される。この場合、その正電圧の一部の正電圧値は２次高圧巻線Ｓの巻終わり端子ＳＬ２より抵抗Ｒ１を通して高圧整流ダイオードＤに至り、該ダイオードＤにより直流に整流された後、上記２次高圧巻線Ｓの中間導出タップＳＬ１より２次高圧巻線Ｓに流入させられ、更に、該中間導出タップＳＬ１より上記巻終わり端子ＳＬ２、抵抗Ｒ１を経て上記高圧整流ダイオードＤに至る直流短絡回路Ａが形成され、この場合に形成される短絡電流は、直流であるために２次高圧巻線Ｓのインダクタンスの阻止作用を受けることなく容易に循環できることになる。これに伴い、上記２次高圧巻線Ｓの中間導出タップＳＬ１と巻終わり端子ＳＬ２の間は上記直流短絡電流によって同電位となり、このため、巻終わり端子ＳＬ２の電位は中間導出タップＳＬ１の電位に降下されるようになる。
【００２３】
なお、巻始め端子ＳＬ０より巻終わり端子ＳＬ２に向かう方向に誘起される正電圧半波が、２次高圧巻線Ｓの中間導出タップＳＬ１より高圧整流ダイオードＤに向かったとしても、該ダイオードＤの逆極性により阻止されるので、前記した作用のみが生じることとなる。
【００２４】
したがって、２次高圧巻線Ｓの巻始め端子ＳＬ０から巻終わりＳＬ２へ向う方向に誘起される正電圧半波交流のうち、巻終わり端子ＳＬ２から高圧整流ダイオードＤに至り、直流に整流されて降下させられる電圧値を、中間導出タップＳＬ１の位置を変えることにより、たとえば、２次高圧巻線Ｓの全巻数により誘起される正電圧出力に対して−６６％（−２／３）となるように予め設定しておくことにより、上記のように２次高圧巻線Ｓの巻始め端子ＳＬ０より巻終わり端子ＳＬ２に向かう方向に正電圧が誘起される場合に、上記巻終わり端子ＳＬ２より抵抗Ｒ１とＲ２を経て導電マットＭへ出力される正電圧半波は、２次高圧巻線Ｓの全巻数によって誘起される正電圧出力の３４％（１／３）の出力とされる。
【００２５】
一方、上記２次高圧巻線Ｓの巻終わり端子ＳＬ２より巻始め端子ＳＬ０に向かう方向に負電圧が誘起される場合、この負電圧半波交流は、変圧器の２次高圧巻線Ｓの巻終わり端子ＳＬ２より巻始め端子ＳＬ０にのみ向かうため、負電圧としては低減することなく上記２次高圧巻線Ｓの全巻数により誘起される１００％の全電圧が、上記巻始め端子ＳＬ０より抵抗Ｒ、１次巻線Ｐの巻始め端子Ｐ０、電源端子Ｕの延長線を経て大地Ｅを介したキャパシタンスＣにより導電マットＭに供給されるようになる。
【００２６】
これにより、上記導電マットＭに対しては、正・負電圧の波高値の比率が１対３となるように高圧出力交流電圧が印加される。したがって、該導電マットＭに、たとえば、生体の所要個所、たとえば、患部を接触させることにより、該生体の患部に対し、正・負電圧の波高値の比率が１対３となる状態にて高圧交流半波の正・負の電界が作用させられて通電刺激が行なわれ、上記生体の患部の治療が行われるようになる。
【００２７】
同様にして、直流短絡回路Ａにより２次高圧巻線Ｓの巻終わり端子ＳＬ２の降下電圧を、正電圧に対して−７５％になるように中間導出タップＳＬ１の位置を変動させると、残りの２５％の正電圧が抵抗Ｒ２を経て導電マットＭに出力されることになるのに対し、２次高圧巻線Ｓの巻終わり端子ＳＬ２から巻始め端子ＳＬ０に向う方向に誘起される負電圧は、低減することなく巻始め端子ＳＬ０から抵抗Ｒ、１次巻線Ｐの巻始め端子Ｐ０、電源端子Ｕの延長線より大地Ｅを介してキャパシタンスとにより導電マットＭに１００％供給されることになる。したがって、この場合には、正電圧と負電圧の波高値の比率を１対４とすることができる。
【００２８】
次に、図１に二点鎖線で示す如く、スイッチＳＷにより、電源端子Ｖを１次巻線Ｐの入力タップＰＬ側に接続すると、電源端子Ｕ−Ｖ間に商用電源ＡＣ１００Ｖが印加され、これに伴い上記昇圧変圧器Ｔの１次巻線Ｐにおける巻始め端子Ｐ０と入力タップＰＬ間が励磁され、この場合には、２次高圧巻線Ｓに対し出力電圧５０％の高電圧の交流電流が誘起される。この際、上記２次高圧巻線Ｓ側では、上記と同様にして、正電圧半波は、２次高圧巻線Ｓの全巻数により誘起される全電圧の３３％まで電圧降下された後、導電マットＭへ出力され、一方負電圧半波は２次高圧巻線Ｓの全巻数により誘起される１００％の全電圧が上記導電マットＭへ出力されることから、該導電マットＭに対しては、正・負電圧の波高値比率が１対３とされた出力電圧５０％の高圧出力交流電圧が印加されるようになる。
【００２９】
このように、本発明の治療器用高電位発生装置によれば、昇圧変圧器Ｔの２次高圧巻線Ｓにおける中間導出タップＳＬ１の位置を、該中間導出タップＳＬ１より上記２次高圧巻線Ｓの巻終わり端子ＳＬ２、抵抗Ｒ１、高圧整流ダイオードＤを経て再び上記中間導出タップＳＬ１に至る直流短絡回路Ａに直流短絡電流が流れることにより、巻終わり端子ＳＬ２の電位が中間導出タップＳＬ１と同電位とされるときの正電圧半波の降下電圧が、２次高圧巻線Ｓの全巻数により誘起される正電圧出力に対して、たとえば、−６６％（−２／３）となるような巻数位置に予め設定しておくことにより、導電マットＭに対して正・負電圧の波高値比率が１対３となる高圧出力交流電圧を印加することができる。
【００３０】
上記において、抵抗Ｒ１は、上記直流短絡回路Ａに生じる直流短絡電流が過大となるのを防止する保護抵抗として作用させるのみでよいため、抵抗値としては５ＭΩ程度のもので回路を成立させることができ、したがって、従来のハイメグ抵抗ｒ１、ｒ２を用いた高電位発生回路に比して、構成回路の抵抗値を１／２０程度まで削減することが可能になり、このため電圧降下による出力変動を従来に比して少なく抑えることができると共に、正・負電圧の波高値比率は、後述する図２（イ）（ロ）（ハ）（ニ）及び図３（イ）（ロ）の実験結果から明らかなように、設定値からの変動を極めて少なくすることができることから、患部治療の効果を安定して著しく高いものとすることが可能になる。更には、従来に比して部品点数の削減も図ることができる。
【００３１】
又、中間導出タップＳＬ１の位置は自在に設定可能としてあるため、該中間導出タップＳＬ１の位置を変えて、２次高圧巻線Ｓ側に形成される直流短絡回路Ａに直流短絡電流が流れることに伴う正電圧半波の降下電圧を、たとえば、２次高圧巻線Ｓの全巻数により誘起される正電圧出力に対して−７５％（−３／４）や−８０％（−４／５）となるような巻数位置に予め設定しておけば、残りの正電圧出力は２５％とか２０％という低電圧とすることができる。これに対し、２次高圧巻線Ｓの全巻数により誘起される負電力出力との比により、正・負電圧の波高値比率が１対４とか１対５等、広範囲に対応させることが可能であり、中間導出タップＳＬ１の位置の選定により、正・負電圧の波高値比率を自在に設定することが可能となる。
【００３２】
更に又、１次巻線Ｐに、該１次巻線Ｐと２次高圧巻線Ｓとの変圧比を変化させて該２次高圧巻線Ｓの出力電圧を１００％と５０％で切替えるための入力タップＰＨとＰＬをスイッチＳＷにて切り替えることにより、生体の患部の治療を行う場合に所望される電圧に合わせて導電マットＭへの出力電圧を容易に切替えることができる。
【００３３】
なお、本発明は上記実施の形態のみに限定されるものではなく、昇圧変圧器Ｔは、１次側に接続する商用電源ＡＣ１００Ｖを、導電マットＭに印加させるべき高電圧が得られるように所要の変圧比で２次側にて昇圧させることができ、且つ該２次側の高圧出力巻線における選定巻線部の任意の巻数位置に接続される中間導出タップＳＬを備えていれば、形式はいかなるものを用いてもよいこと、１次巻線Ｐには、２次高圧巻線Ｓ側に誘起される電圧出力が１００％と５０％で切り替えられるようにするための入力タップＰＨ及びＰＬを設けた構成を示したが、入力タップを１つとして２次高圧巻線Ｓ側より一定の電圧出力の高電圧が誘起されうようにしたり、あるいは、入力タップＰＬに代えて５０％以外の定電圧出力となるような入力タップを設けたり、更には、入力タップＰＨの他に２つ以上の入力タップを備えて２次高圧巻線Ｓ側の出力電圧を、より多段に切替えることができるようにしてもよいこと、その他本発明の要旨を逸脱しない範囲内において種々変更を加え得ることは勿論である。
【００３４】
【実施例】
以下、本発明の実施例について説明する。
図１の装置において、導電マットＭへ出力される高電圧交流の正・負電圧の波高値比率が１対３とすることができるように、２次高圧巻線Ｓにおける中間導出タップＳＬ１の位置を、該中間導出タップＳＬ１と巻終わり端子ＳＬ２との間に抵抗Ｒ１及び高圧整流ダイオードＤを経た直流短絡回路Ａが形成されることによる２次高圧巻線Ｓに誘起される正電圧半波の電圧降下が−６６％となるよう設定して、無負荷時に実測される正・負電圧の波高値が、図２（イ）に示す如く、正電位＋３７４０Ｖ、負電位−１２５４０Ｖ（正・負電圧の波高値比率が２３％：７７％）となるように設定した状態にて、サイズの異なる大小２種類の導電マットＭを接続した場合、及び、該各導電マットＭに生体（人体）を載置した場合にそれぞれ得られる正・負電圧の波高値を計測した。
その結果、サイズの小さい導電マットＭを接続したときの正・負電圧の波高値は、図２（ロ）に示す如く、正電位＋３５２０Ｖ、負電位−１１４４０Ｖとなり、正・負電圧の波高値比率は２３．５％：７６．５％であった。該サイズの小さい導電マットＭに体重６５ｋｇの人が載った場合、得られる正・負電圧の波高値比率は、図２（ハ）に示す如く、２４％：７６％（正電位＋３０８０Ｖ、負電位−９７９０Ｖ）であった。又、上記サイズの小さい導電マットＭに体重５５ｋｇの人が載った場合、得られる正・負電圧の波高値比率は、図２（ニ）に示す如く、２４．６％：７５．４％（正電位＋３３００Ｖ、負電位−１０１２０Ｖ）であった。
一方、サイズの大きい導電マットＭを接続したときの正・負電圧の波高値は、図３（イ）に示す如く、正電位＋３０８０Ｖ、負電位−９６８０Ｖとなり、正・負電圧の波高値比率は２４．１％：７５．９％であった。該サイズの大きい導電マットＭに体重６５ｋｇの人が載った場合、得られる正・負電圧の波高値比率は、図３（ロ）に示す如く、２４．３％：７５．７％（正電位＋２８６０Ｖ、負電位−８９１０Ｖ）であった。
以上の結果より、いずれのサイズの導電マットＭであっても、又、体重の異なる人が導電マットＭに載る場合であっても、生体に印加する正・負電圧の波高値の比率は１：３（２５％：７５％）に非常に近いものとすることができることが判明した。
【００３５】
【発明の効果】
以上述べた如く、本発明によれば、以下の如き優れた効果を発揮する。
（１）  交流高電圧を導電マットに与えて、該導電マット上の生体に印加して治療を行うようにする治療器用高電位発生装置において、昇圧変圧器の２次高圧巻線の巻始め端子から巻終わり端子までの間に中間導出タップを設け、該中間導出タップに、上記２次高圧巻線の巻始め端子から巻終わり端子へ向う方向の交流の正電圧の任意の電圧値を直流に整流する高圧整流ダイオードを接続して、直流を中間導出タップより２次高圧巻線に流入させて上記高圧整流ダイオードに至るようにする直流短絡回路を形成し、且つ上記２次高圧巻線の巻始め端子を大地に接地させた構成、更に、直流短絡回路を、高圧整流ダイオードに２次高圧巻線の巻終わり端子を抵抗を通じ接続して、該高圧整流ダイオードで整流された直流が中間導出タップより２次高圧巻線に流入させられると２次高圧巻線の巻終わり端子を経て上記抵抗より高圧整流ダイオードに至るようにする構成としてあるので、２次高圧巻線に正電圧半波が誘起されるときには、正電圧を高圧整流ダイオードで直流に整流して中間導出タップより２次巻線に流入させて上記２次高圧巻線の巻終わり端子より抵抗、高圧整流ダイオードに至る直流短絡回路により直流の短絡電流を流すことができることから、上記正電圧半波の出力電圧を、２次高圧巻線における中間導出タップの設置位置に基づき所要電圧へ電圧降下させることができ、このため２次高圧巻線の全巻数により誘起される負電圧半波の出力電圧に比して、上記正電圧半波の出力電圧を低減できることから、正電圧の波高値が小となり、且つ負電圧の波高値が大となる高圧の交流を出力させることができる。この際、上記抵抗は、上記直流短絡回路に生じる短絡電流が過大となるのを防止する保護抵抗として作用させればよいため、従来の高電圧治療器用の高電圧発生回路の如くハイメグ抵抗ｒ１、ｒ２を用いていた場合に比して、構成回路の抵抗値を１／２０程度まで削減することが可能になり、このため電圧降下による出力変動を従来に比して少なく抑えることができると共に損失も低減できて、正・負電圧の波高値比率の変動を極めて少なくすることができ、したがって、生体に高電位治療器を適用する場合における患部の治療や健康体の維持等、生体各部の機能を正常化する効果を安定して著しく高いものとすることが可能になる。更には、従来に比して部品点数の削減も図ることができる。
（２）  ２次高圧巻線の巻始め端子から巻終わり端子までの間に設ける中間導出タップの位置を変動可能として短絡巻数を変更できる構成とすることにより、中間導出タップの位置を変動させることによって、２次高圧巻線から出力させる正電圧半波の波高値を広範囲に自在に設定できるため、出力電圧一定の負電圧半波との波高値比率を自在に設定することが可能になる。
【図面の簡単な説明】
【図１】本発明の治療器用高電位発生装置の実施の一形態の概要を示す回路図である。
【図２】図１の装置より出力される正・負電圧の波高値の計測結果を示すもので、（イ）は無負荷の状態、（ロ）はサイズの小さい導電マットを接続した状態、（ハ）は該導電マット上に体重６５ｋｇの人が載った状態、（ニ）は上記導電マット上に体重５５ｋｇの人が載った状態における出力波形をそれぞれ示す図である。
【図３】図１の装置より出力される正・負電圧の波高値の計測結果を示すもので、（イ）はサイズの大きい導電マットを接続した状態、（ロ）は該導電マット上に体重６５ｋｇの人が載った状態における出力波形をそれぞれ示す図である。
【図４】従来用いられている高電圧治療器の一例の概略を示す回路図である。
【符号の説明】
Ｔ  昇圧変圧器
Ｐ  １次巻線
Ｐ０  巻始め端子
ＰＬ  入力タップ
ＰＨ  入力タップ
Ｓ  ２次高圧巻線
ＳＬ０  巻始め端子
ＳＬ１  中間導出タップ
ＳＬ２  巻終わり端子
Ｒ１  抵抗
Ｄ  高圧整流ダイオード
Ａ  直流短絡回路
【図１】
2004242718.tif 000003
【図２】
2004242718.tif 000004
【図３】
2004242718.tif 000005
【図４】
2004242718.tif 000006